(57)【要約】【課題】光ピックアップの構成を大幅に変更することなくカバーを取り付け可能にすると共に、小型化してもカバーを確実に固定することができる光ピックアップを提供する。【解決手段】対物レンズ２をトラッキング方向とフォーカシング方向およびチルト方向に駆動する対物レンズ駆動機構に被冠されるカバー３０が、対物レンズ２をチルト方向に駆動するためのチルト用駆動マグネット１６を上方側に配設したヨーク１７の係合部に係合させて固定される。カバー３０には、ヨーク１７の係合部１７ｃの対応位置に屈曲によって形成した係止部３７が設けられ、この係止部３７をヨーク１７の係合部１７ｃに係合させる。【選択図】      図１
2005018864.tif 000002
【特許請求の範囲】
【請求項１】
光源からの出射光を光記録媒体に収束させる対物レンズをトラッキング方向とフォーカシング方向およびチルト方向に移動可能に駆動する対物レンズ駆動機構を備え、この対物レンズ駆動機構をカバーによって被冠してなる光ピックアップであって、
上記対物レンズをチルト方向に駆動するためのチルト用駆動マグネットを上方側に配設したヨークに係合部を設けると共に、上記カバーの上記係合部との対応位置に屈曲によって形成された係止部を設け、この係止部を上記ヨークの係合部に係合させて、上記カバーを固定したことを特徴とする光ピックアップ。
【請求項２】
前記ヨークは、前記対物レンズ駆動機構のトラッキング方向の両側に各々設けられ、前記係合部は、前記ヨークの上方側をタンジェンシャル方向に延びた延出部の下端に設けられ、この係合部に前記カバーの係止部を当接させて係合した請求項１に記載の光ピックアップ。
【請求項３】
前記カバーの係止部は、前記ヨークを嵌合する窓孔の開口内端を内方に向けて屈曲した舌片によって構成され、この舌片の上端を前記ヨークの延出部の下端に当接させると共に、内端を前記ヨークの脚部に隣接させた請求項１および２に記載の光ピックアップ。
【請求項４】
前記カバーは弾性を有する板部材によって形成され、前記係止部の両側にスリットを形成して、下端側を変位可能に構成した請求項１乃至３に記載の光ピックアップ。
【請求項５】
前記対物レンズを保持するレンズホルダは、支持部材に支持された複数本のワイヤによってトラッキング方向とフォーカシング方向およびチルト方向に移動可能に支持され、前記支持部材に係合手段を形成して前記ヨークに係合させたカバーを前記係合手段に係合させた請求項１に記載の光ピックアップ。
【発明の詳細な説明】
【０００１】
【発明の属する技術分野】
本発明は、ＣＤやＤＶＤなどの光記録ディスクの記録、再生等に用いられる光ピックアップに関するものである。更に詳しくは、対物レンズをチルト方向に駆動可能な対物レンズ駆動機構を被冠するカバーの取付構造に関する。
【０００２】
【従来の技術】
ＣＤやＤＶＤなどの光記録ディスクの記録、再生等に用いられる光ピックアップとして、対物レンズを保持したレンズホルダをトラッキング方向とフォーカシング方向の二軸の他にチルト方向に駆動可能な光ピックアップも出現している。このような光ピックアップは、対物レンズを保持しているレンズホルダと、このレンズホルダをワイヤで支持しているレンズホルダ支持部材と、レンズホルダをトラッキング方向とフォーカシング方向に駆動するための駆動機構、およびチルト方向に駆動するための駆動機構を有している。これら駆動機構を備えた対物レンズ駆動機構は、レンズホルダの側面にフォーカシング用駆動コイル、トラッキング用駆動コイルを備え、レンズホルダ支持部材に設けたトラッキング・フォーカシング用駆動マグネットを備えている。更に、チルト用駆動コイル、チルト・フォーカシング用駆動マグネットを備えている。
【０００３】
このような光ピックアップは、ＣＤやＤＶＤドライブなどの光記録ディスクの記録、再生装置に搭載された状態において、通常はディスク載置側に露出している。このため、前記対物レンズ駆動機構へ粉塵や異物が混入し易いことから、これを抑止するために前記対物レンズ駆動機構にカバーが被冠される。
【０００４】
上述したカバーの取付構造としては、特開平８−６３９０６号公報（特許文献１）により提案されている。すなわち、図８に示すように、二軸アクチュエータ（光ピックアップ）を構成する二軸アクチュエータ１００は、その二軸ベースと一体に形成されたヨーク１１１の立上り部１１３、１１４に対して、上方からアクチュエータカバー１１２が取り付けられる。上記立上り部１１３、１１４は、ヨーク１１１の後端部分の外側縁から上方に延びていると共に、その後縁上部が後方に突出する逆Ｌ字形に形成され、その後縁には下向きの段部１１３ａ、１１４ａが備えられている。
【０００５】
一方、上記アクチュエータカバー１１２は、前端の下縁から下方に延びるフック１１２ａを備えていると共に、その下縁から前方に突出した係合爪１１２ｂを有している。そして、アクチュエータカバー１１２を載置したとき、係合爪１１２ｂがヨーク１１１のベース１１１ａの下縁に係合される。また、アクチュエータカバー１１２は、突出する一対のダボ１１２ｃ，１１２ｄを備えていて、立上り部１１３，１１４の後縁に形成された段部１１３ａ，１１４ａに係合する。これにより、アクチュエータカバー１１２は、ヨーク１１１に対して上下方向および前後方向が位置決めされて固定保持される。
【０００６】
【特許文献１】
特開平８−６３９０６号公報
【０００７】
【発明が解決しようとする課題】
上述した特許文献１に開示された取付構造によって、アクチュエータカバーが光ピックアップの磁気駆動機構を被冠することが可能となる。しかし、アクチュエータカバー１１２に形成したフック１１２ａをヨーク１１１のベース１１１ａの下縁に係合させることから、フック１１２ａの先端に突出した係合爪１１２ｂがヨーク１１１の下縁から突出することになる。このため、光ピックアップを記録、再生装置に搭載するときに、係合爪１１２ｂの突出部分を避けて取り付ける配慮が必要となり、記録、再生装置の設計上の支障となる問題がある。
【０００８】
更に、係合爪１１２ｂが突出することから、高さ方向の寸法が大きくなり、小型化を阻害する問題もある。また、フック１１２ａの先端に係合爪１１２ｂを突出形成するためには、アクチュエータカバー１１２自体を樹脂によってモールド成形することが必要である。ところが、光ピックアップを小型化した場合には、アクチュエータカバー１１２も小型になることから、フック１１２ａや一対のダボ１１２ｃ，１１２ｄも小さくなる。このため、これらを成形によって形成すること自体が困難になると共に、係合爪１１２ｂおよびダボ１１２ｃ，１１２ｄの係合部分が極小になるために、ベース１１１ａの下縁および段部１１３ａ，１１４ａに係合に係合できない、または振動等によって離脱し易くなる問題が発生する。
【０００９】
そこで、本発明は、光ピックアップの構成を大幅に変更することなくカバーを取り付け可能にすると共に、小型化してもカバーを確実に固定することができる光ピックアップを提供することを目的とする。
【００１０】
【課題を解決するための手段】
上記目的を達成するために、本発明の請求項１記載の光ピックアップは、対物レンズをトラッキング方向とフォーカシング方向およびチルト方向に駆動する対物レンズ駆動機構に被冠されるカバーが、上記対物レンズをチルト方向に駆動するためのチルト用駆動マグネットを上方側に配設したヨークの係合部に係合させて固定される。上記カバーには、ヨークの係合部の対応位置に屈曲によって形成した係止部が設けられ、この係止部を上記ヨークの係合部に係合させるようにしている。チルト用駆動マグネットを上方側に配設したヨークを用いているので、光ピックアップ自体の構成に変更しなくてもカバーを取り付けることが可能となる。また、カバーの係止部を屈曲によって形成することにより自由度が増すので、小型化に対応させることが可能となる。
【００１１】
また、請求項２記載の光ピックアップは、チルト用駆動マグネットを配設した前記ヨークが、対物レンズ駆動機構のトラッキング方向の両側に各々設けられ、ヨークの係合部を前記ヨークの上方側をタンジェンシャル方向に延出された延出部の下端に前記カバーの係止部を当接させることにより係合している。所定の幅を有するチルト用駆動マグネットを配設したヨークの下方側の幅を狭くすることによって形成された段部を係合部として用いることにより、ヨーク自体の構成を変更することなく設けることが可能となる。また、他にカバー取付用の取付部材を設ける必要がなく、小型化とコスト低減を可能としている。
【００１２】
更に、請求項３記載の光ピックアップは、前記カバーの係止部を、前記ヨークを嵌合する窓孔の開口内端を内方に向けて屈曲した舌片によって構成して、この舌片の上端を前記ヨークの係合部に当接させると共に、内端を前記ヨークの脚部に隣接させるようにしている。カバーの係止部を屈曲により形成した舌片によって構成しているので、簡易な構成によって製造が容易になる。更に、舌片の内端をヨークの脚部に隣接させることによって、上記窓孔が前記ヨークによりほぼ閉塞されるので、対物レンズ駆動機構への粉塵や異物の混入を最小限の止めることが可能となる。
【００１３】
更にまた、請求項４記載の光ピックアップは、前記カバーが弾性を有する板部材によって形成され、前記係止部の両側にスリットを形成して、下端側を変位可能に構成している。カバーを取り付けるとき等に、スリットによって分断した係止部の周囲のみを変位させるので、カバーの他の部分を変形させることが防止できる。
【００１４】
また、請求項５記載の光ピックアップは、前記対物レンズを保持するレンズホルダを複数本のワイヤによりトラッキング方向とフォーカシング方向およびチルト方向に移動可能に支持し、上記ワイヤを支持するホルダ支持部材に係合手段を形成して、前記ヨークに係合させたカバーを前記係合手段に係合させるようにしている。前記ヨークに係合させたカバーを更にホルダ支持部材に係合することによって、カバーの取付強度を大きくすることが可能となる。
【００１５】
【発明の実施の形態】
以下、本発明にかかる光ピックアップの一実施形態を図面に基づいて詳細に説明する。
【００１６】
当該光ピックアップは、ＣＤ或いはＤＶＤなどの光記録ディスクに対する情報記録、情報再生を行うものであり、レーザ光源から出射されたレーザ光をハーフミラーで反射し、対物レンズで集光させて光記録ディスクの情報記録面に焦点を結ぶように構成されている。光記録ディスクで反射した光は、対物レンズおよびハーフミラーを通過して光検出器に入射させ、この光検出器の受光する光信号に基づいて情報再生処理が行われる。また、光検出器から出力信号に基づいて、対物レンズ駆動機構を駆動制御して対物レンズのトラッキング方向とフォーカシング方向、或いはチルト方向の位置や角度をサーボ制御する一方、レーザ光源を駆動制御する。上記対物レンズは、ワイヤサスペンション方式の対物レンズ駆動機構によって駆動制御されている。
【００１７】
図１は、本形態における光ピックアップの対物レンズ駆動機構にカバーを被冠した状態を示す斜視図であり、この対物レンズ駆動機構は対物レンズをチルト方向に駆動する駆動機構も備えている。まず、ワイヤサスペンション方式の対物レンズ駆動機構について図４を参照して説明する。対物レンズ駆動機構１は、対物レンズ２を保持するレンズホルダ３と、レンズホルダ３を６本のワイヤ４、５、６、７（ワイヤ８、９は図示しない）で支持している支持部材２６と、レンズホルダ３を矢印Ｔｒで示すトラッキング方向、矢印Ｆｏで示すフォーカシング方向、および、矢印Ｔｉで示すチルト方向に駆動するための駆動機構を有している。ワイヤ４、５、６は、後述するフォーカシング駆動コイル１２、トラッキング用駆動コイル１３、および、チルト用駆動コイル（図示しない）へ通電するための電流路を構成している。
【００１８】
更に対物レンズ駆動機構１は、レンズホルダ３の胴部周囲に設けた環状のフォーカシング駆動コイル１２と、フォーカシング駆動コイル１２の外面に貼付された４個の平面コイルからなるトラッキング用駆動コイル１３と、レンズホルダ３の内部に形成された空間に配設された一対のチルト用駆動コイルとを備えている。また、ベース部材１０は、フォーカシング駆動コイル１２、および、トラッキング用駆動コイル１３に対向する一対のトラッキング・フォーカシング用駆動マグネット１５と、フォーカシング駆動コイル１２、および、チルト用駆動コイルに対向する一対のフォーカシング・チルト用駆動マグネット１６とを備えている。
【００１９】
上記フォーカシング・チルト用駆動マグネット１６は、対物レンズ駆動機構１を構成するレンズホルダ３に対してトラッキング方向Ｔｒの両側の外側でベース部材１０の底板１０ａから起立形成によって設けられた外ヨーク１７の内面に固着されている。この外ヨーク１７は、図５に示すように、タンジェンシャル方向Ｔａに延びた延出部１７ａを上方側に形成すると共に、下方側を延出部１７ａよりも幅狭な脚部１７ｂを形成し、全体形状として略Ｔ字状に形成されている。また、脚部１７ｂの両側に位置する延出部１７ａの下端を係合部１７ｃとしている。更に、ベース部材１０には、外ヨーク１７の内面に対向する位置に内ヨーク１８が設けられている。
【００２０】
一対のトラッキング・フォーカシング用駆動マグネット１５は、フォーカシング・チルト用駆動マグネット１６に対して直交する向きにベース部材１０の底板１０ａから起立形成した一対の外ヨーク１９の内面に固着されている。また、ベース部材１０には、レンズホルダ３の内側であって外ヨーク１９の内面に対向する位置に内ヨーク２０が設けられている。
【００２１】
このように構成した対物レンズ駆動機構１において、フォーカシング駆動コイル１２はフォーカシング・チルト用駆動マグネット１６と、トラッキング・フォーカシング用駆動マグネット１５に対向させ、フォーカシング駆動コイル１２に所定の電流を後述するワイヤを介して通電するされることにより、レンズホルダ３をフォーカシング方向Ｆｏに駆動することができる。
【００２２】
前記チルト用駆動コイルは、フォーカシング・チルト用駆動マグネット１６に対向するように、レンズホルダ３のトラッキング方向Ｔｒの両側に形成された空間の下側内面に貼設されている。そして、前記チルト用駆動コイルに所定の電流を後述するワイヤを介して通電することにより、レンズホルダ３をチルト方向Ｔｉに駆動することができる。
【００２３】
トラッキング用駆動コイル１３は、トラッキング・フォーカシング用駆動マグネット１５に対向していて、トラッキング用駆動コイル１３に所定の電流を後述するワイヤを介して通電することにより、レンズホルダ３をトラッキング方向Ｔｒに駆動することができる。
【００２４】
前述した対物レンズ２を保持するレンズホルダ３は、所定のバネ定数を有する６本のワイヤ４、５、６・・により、トラッキング方向Ｔｒとフォーカシング方向Ｆｏおよびチルト方向Ｔｉに移動可能に支持されている。尚、３本のワイヤからなる組は、レンズホルダ３のトラッキング方向Ｔｒの両側において対称に配置され、かつ同一に構成している。
【００２５】
一方の組のワイヤ４、５、６は、基端側をベース部材１０に固定された支持部材２６の垂直な後面に設けられた例えばプリント基板２１の配線パターンに半田等により各々固定されている。また、ワイヤ４および６の先端側は、レンズホルダ３の前方側に設けた固定部２３、２４に、例えば接着等の手段によって固定すると共に、更に延長させてレンズホルダ３の前方側に貼設したプリント基板２２の配線パターンに半田等により各々接続することにより固定している。ワイヤ４寄りに位置させたワイヤ５の先端側は、固定部２３に形成した透孔に挿通させてプリント基板２２の配線パターンに半田等により固定している。上記透孔は、内径をワイヤ５の外径寸法よりも十分大きく形成しているので、ワイヤ５の動きを妨げることはない。なお、上記支持部材２６には、タンジェンシャル方向Ｔａに透孔が左右に形成され、６本のワイヤ４、５、６・・が挿通される。そして、透孔内には、ゲル状の制振材が入れられていて、ワイヤ４、５、６・・の不要な振動を抑制するようになっている。
【００２６】
一方、前記カバー３０は、０．１ｍｍ乃至０．５ｍｍ程度の弾性を有する肉薄な金属板を折り曲げることによって略皿状に形成されている。すなわち、図４に示すように、平坦な上面３１には、前述した対物レンズ２に対応した開口３２が形成され、上面３１の両側から側壁３３を垂下させている。また、タンジェンシャル方向Ｔａの一方側の両側には、テーパ面の側壁３４が形成されていて、その先端側は開放されている。タンジェンシャル方向Ｔａの他方側は開放となっている。
【００２７】
両側の側壁３３には、前述したフォーカシング・チルト用駆動マグネット１６を配設した外ヨーク１７に対応させて窓孔３５が形成されている。この窓孔３５の開口内端には、内方に向けて屈曲した舌片３６が左右に形成されていて、略Ｔ字状に形成されている。舌片３６は、外ヨーク１７の脚部１７ｂの両側に隣接させるように形成され、上端は、外ヨーク１７の延出部１７ａの下端に形成された係合部１７ｃと対応させている。このように形成された舌片３６の上端をカバー３０の係止部３７としている。
【００２８】
また、カバー３０の側壁３３には、前述した支持部材２６に下方側に形成した係合溝２６ａに対応させた係止舌片３８が形成されている。更に、係止舌片３８と窓孔３５との間の側壁３３には、両者を分離するスリット３９が形成され、前記テーパ面の側壁３４と上面との間は分離されている。このため、窓孔３５を有する側壁３３および側壁３４は、独立して変位可能に構成されている。また、上記係止舌片３８が形成された側壁３３の部分も独立して変位可能となっている。
【００２９】
次に、カバー３０の取付方法について説明する。上述したカバー３０は、図４および図５に示すように、対物レンズ駆動機構１の上方から下降することによって取り付けられる。カバー３０を下降するとき、図４に破線で示すように、外ヨーク１７に形成された係合部１７ｃとカバー３０の係止部３６、および、支持部材２６に形成した係合溝２６ａとカバー３０の係止舌片３８とを対応させる。下降することによって、カバー３０の舌片３６の下端が外ヨーク１７の上端に当接すると共に、カバー３０の係止舌片３８が支持部材２６の上端に当接する。このため、舌片３６が形成された側壁３３を外方に向けて弾力に抗して拡開することにより、舌片３６が外ヨーク１７の外面を乗り越えながら、舌片３６はやがて外ヨーク１７の脚部１７ｂに到達する。そして、カバー３０の弾力によって復帰したとき、舌片３６の上端に形成されたカバー３０の係止部３７が、外ヨーク１７の延出部１７ａの下端に形成された係合部１７ｃに係合する。このように係合した状態においては、図２に示すように、上記舌片３６が外ヨーク１７の脚部１７ｂに隣接することから、粉塵や異物の混入が抑制される。
【００３０】
一方、カバー３０の係止舌片３８は、上記係止部３７と共に下降するが、図３（Ａ）に示すように、係止舌片３８は、下降方向に斜面を形成しているので、カバー３０の下降に伴ってカバー３０の弾性に抗して側壁３３が拡開し、支持部材２６の側面を摺接し、やがて図３（Ｂ）に示すように、係止舌片３８が係合溝２６ａに落とし込まれて係合される。このように、カバー３０の係止部３７が、外ヨーク１７の係合部１７ｃに係合すると共に、カバー３０の係止舌片３８が支持部材２６の係合溝２６ａが係合することにより、図１に示すように、対物レンズ駆動機構１がカバー３０によって被冠される。なお、カバー３０のテーパ面が形成された側壁３４の先端側は開放していたが、前述したトラッキング・フォーカシング用駆動マグネット１５を固着した外ヨーク１９により閉塞される、また、カバー３０の開放された他方側は、上記支持部材２６によって閉塞される。
【００３１】
以上説明したように、フォーカシング・チルト用駆動マグネット１６が配設される外ヨーク１７を用いて、この下端を係合部１７ｃとしてカバー３０に形成した係止部３７を係合させた取付構造とすることによって、当該光ピックアップ自体の構成を変更しなくてもカバー３０を容易に取り付けることが可能となる。また、カバー３０の係止部３７を屈曲によって形成することにより、外ヨーク１７の係合部１７ｃに応じた大きさに任意に設定できるので、特に当該光ピックアップの小型化に対しても自由度をもって対応させることができる。
【００３２】
図６は、カバー３０に形成した係止部の変形例を示し、図７は、図６のＡ−Ａ断面図である。図６に示した係止部４０は、前述した係止舌片３８と同様に、上方側に至るに従って側壁３３から離間させたテーパ面を有する舌片を形成している。更に、このように舌片を有する係止部４０は、外ヨーク１７の下端に形成された左右の係合部１７ｃに対応させて一対が形成されている。
【００３３】
そして、カバー３０を対物レンズ駆動機構１の上方から下降して取り付けるときは、カバー３０の一対の係止部４０が外ヨーク１７の上端に当接するが、更に押圧することにより、係止部４０のテーパ面によって側壁３３が弾力に抗して外方に拡開することにより、係止部４０が外ヨーク１７の外面を摺接しながらやがて外ヨーク１７の下端に形成された係合部１７ｃに落とし込まれて係合する。これによってカバー３０が前述した実施形態と同様に取り付けられる。
【００３４】
一方、支持部材２６の側面に形成された係合溝２６ａには、図７に示すような係合リブ４１を係合させることによって取り付けられる。すなわち、カバー３０の側壁３３には、支持部材２６の下方側に形成した係合溝２６ａに対応させた係合リブ４１が形成されている。そして、カバー３０を取り付けるとき、係合リブ４１の曲面がカバー３０の側壁３３を弾性に抗して拡開し、支持部材２６の側面を摺接しながら係合溝２６ａに落とし込まれることによって係合される。
【００３５】
なお、上述したように、支持部材２６の係合溝２６ａにカバー３０の係止舌片３８または係合リブ４１を係合させる場合には、係止部４０を１個として、外ヨーク１７の一方の係合部１７ｃに係合させるようにしてもよい。
【００３６】
以上、本発明者によってなされた発明の実施形態を具体的に説明したが、本発明は上記実施形態に限定されるものではなく、その要旨を逸脱しない範囲で種々変形可能であるというのはいうまでもない。例えば、外ヨーク１７を略Ｔ字状に形成して左右一対の係合部１７ｃを形成したが、外ヨーク１７を略Ｌ字状に形成して１個の係合部１７ｃを形成するようにしてもよい。また、光ピックアップの構成は前述した構成以外の他の構成であってもよい。
【００３７】
【発明の効果】
以上述べたように、本発明による光ピックアップは、磁気駆動機構に被冠されるカバーを、上記対物レンズをチルト方向に駆動するためのチルト用駆動マグネットを上方側に配設したヨークを用いて、その係合部にカバーを係合させて固定するので、光ピックアップ自体の構成に変更しなくてもカバーを取り付けることが可能となる。また、カバーの係止部を屈曲によって形成することにより自由度が増すので、小型化に対応させることが可能となる。
【００３８】
また、請求項２の発明によれば、所定の幅を有するチルト用駆動マグネットを配設するためのヨークの下方側の幅を狭くすることによって形成された段部を係合部として用いて、これにカバーの係止部を係合させているので、ヨーク自体の構成を変更することなく係合部を設けることが可能となる。また、他にカバー取付用の取付部材を設ける必要がなく、小型化とコスト低減を可能としている。
【００３９】
更に、請求項３の発明によれば、カバーの係止部を屈曲によって形成した舌片によって構成して、この舌片の上端を前記ヨークの係合部に当接させているので、簡易な構成によって製造が容易になる。更に、舌片の内端をヨークの脚部に隣接させることによって、上記窓孔が前記ヨークによってほぼ閉塞されるので、磁気駆動機構への粉塵や異物の混入を最小限の止めることが可能となる。
【００４０】
更にまた、請求項４の発明によれば、弾性を有する板部材によって形成したカバーの係止部の両側にスリットを形成して、下端側を変位可能に構成しているので、カバーを取り付けるとき等に、スリットによって分断した係止部の周囲のみを変位させることができ、取付が容易になると共にカバーの他の部分を変形させることが防止できる。
【００４１】
また、請求項５の発明によれば、レンズホルダを支持する複数本のワイヤを支持するホルダ支持部材に係合手段を形成して、この係合手段にヨークに係合させるカバーを係合させるので、ヨークに係合させたカバーを更にホルダ支持部材に係合することによって、カバーの取付強度を大きくすることが可能となる。
【図面の簡単な説明】
【図１】本発明の実施形態にかかる光ピックアップを示す斜視図である。
【図２】本発明のヨークにカバーを取り付けた状態を示す要部断面図である。
【図３】（Ａ）（Ｂ）は、本発明の支持部材にカバーを取り付けた状態を示す要部断面図である。
【図４】本発明の対物レンズ駆動機構にカバーを被冠する状態を示す分解斜視図である。
【図５】本発明の対物レンズ駆動機構にカバーを被冠する状態を示す側面図である。
【図６】本発明のカバーの他の実施形態を示す側面図である。
【図７】図６におけるＡ−Ａ断面を示す断面図である。
【図８】従来のカバー取付構造を示す分解斜視図である。
【符号の説明】
１          対物レンズ駆動機構
２          対物レンズ
３          レンズホルダ
４〜６      ワイヤ
１０        ベース部材
１２        フォーカシング駆動コイル
１３        トラッキング用駆動コイル
１５        トラッキング・フォーカシング用駆動マグネット
１６        フォーカシング・チルト用駆動マグネット
１７        外ヨーク
１７ａ      延出部
１７ｂ      脚部
１７ｃ      係合部
１８        内ヨーク
１９        外ヨーク
２０        内ヨーク
２６        支持部材
２６ａ      係合溝
３０        カバー
３２        開口
３３、３４  側壁
３６        舌片
３７        係止部
３８        係止舌片（係合手段）
３９        スリット
Ｆｏ        フォーカシング方向
Ｔｉ        チルト方向
Ｔｒ        トラッキング方向
Ｔａ        タンジェンシャル方向
【図１】
2005018864.tif 000003
【図２】
2005018864.tif 000004
【図３】
2005018864.tif 000005
【図４】
2005018864.tif 000006
【図５】
2005018864.tif 000007
【図６】
2005018864.tif 000008
【図７】
2005018864.tif 000009
【図８】
2005018864.tif 000010